(57)【特許請求の範囲】
【請求項１】
軸筒内に配置されると共に、インクが貯留されるインク貯留部を有する中芯と、
前記軸筒の先端開口から前記中芯の先端を出没させるために、前記中芯を軸線方向に移動させ得る中芯出没機構と、を備えた筆記具において、
前記軸筒内に複数本の前記中芯を有し、
それぞれの前記中芯の前記インク貯留部の外面は、前記軸筒の内壁面に面接触し、且つ、隣接する前記インク貯留部の前記外面同士が、互いに線又は面接触することで、前記複数の中芯を軸線方向に沿って真っ直ぐに移動するようにガイドすることを特徴とする多芯筆記具。
【請求項２】
前記中芯出没機構は、前記軸筒に対して軸線方向に移動可能なノック部を有するノック機構であり、前記ノック部の先端は、前記中芯の後端で屈曲自在に連結されていることを特徴とする請求項１記載の多芯筆記具。
【請求項３】
前記軸筒の前端側には、前記中芯の進退によって開閉される蓋部が、前記中芯毎に設けられていることを特徴とする請求項１又は２記載の多芯筆記具。
【発明の詳細な説明】
【技術分野】
【０００１】
本発明は、油性マーカー、ボードマーカー、水性マーカー、蛍光マーカー、水性ボールペン等のように、外形の大きなインク貯留部を有する中芯の出没を可能にした多芯筆記具に関するものである。
【背景技術】
【０００２】
従来、このような分野の技術として、特開２００７−２０３６８２号公報がある。この公報に記載されたマーカーは、蛍光ペンであり、ノック機構によって中芯の出没を可能にしている。中芯の先端部には、軸線方向に移動自在なエアータイトスリーブが装着され、このエアータイトスリーブの前端には、ヒンジを介して開閉自在な蓋体が設けられている。この蓋体には、三角形状の係止部が設けられ、この係止部は、軸筒に形成されたストッパに当たることで、軸筒の窓部内に挿入可能である。このようなマーカーにあっては、中芯がノック機構により前進させられると、中芯と一緒にエアータイトスリーブも前進し、エアータイトスリーブに設けられた蓋部の係止部がストッパに当たることで係止部が窓部内に入り込む。このとき、エアータイトスリーブの移動がストップさせられるが、中芯の前進は続いているので、蓋部が開放されながら中芯の先端が軸筒の先端から突出することになる。このようなマーカーでは、キャップを用いずに中芯のエアータイトを可能にしている。
【先行技術文献】
【特許文献】
【０００３】
【特許文献１】特開２００７−２０３６８２号公報
【発明の概要】
【発明が解決しようとする課題】
【０００４】
しかしながら、前述した従来の筆記具は、単芯であり、１本の筆記具で色分けするような筆記ができない。そこで、近年、外形の大きなインク貯留部を有している中芯を複数本もった多芯の筆記具が求められている。
【０００５】
本発明は、外形の大きなインク貯留部を利用して、軸筒の胴回りを小さくできるように工夫された多芯筆記具を提供することを目的とする。
【課題を解決するための手段】
【０００６】
本発明は、軸筒内に配置されると共に、インクが貯留されるインク貯留部を有する中芯と、
軸筒の先端開口から中芯の先端を出没させるために、中芯を軸線方向に移動させ得る中芯出没機構と、を備えた筆記具において、
軸筒内に複数本の中芯を有し、
それぞれの中芯のインク貯留部の外面は、軸筒の内壁面に面接触し、且つ、隣接するインク貯留部の外面同士が、互いに線又は面接触することで、複数の中芯を軸線方向に沿って真っ直ぐに移動するようにガイドすることを特徴とする。
【０００７】
この多芯筆記具においては、それぞれの中芯のインク貯留部の外面が、軸筒の内壁面に面接触し、且つ、隣接するインク貯留部同士が、互いに線又は面接触することにより、外形の大きなインク貯留部の有効利用を図って、多芯筆記具の各中芯のガイド機能を達成させている。このような構成により、中芯を軸線方向に確実に移動させるためのガイド手段の簡素化を可能にし、部品点数の削減を図ることができる。しかも、このような構成により、軸筒内で各中芯を中心に寄せることができるので、軸筒の外形を必要最小限の大きさにすることができ、軸筒の胴回りを小さくするような小型化が可能になる。
【０００８】
また、中芯出没機構は、軸筒に対して軸線方向に移動可能なノック部を有するノック機構であり、ノック部の先端は、中芯の後端で屈曲自在に連結されていると好適である。
このような構成を採用すると、中芯を撓ませることなく、ノック部と中芯とを確実に連動させることができる。
【０００９】
また、軸筒の前端側には、中芯の進退によって開閉される蓋部が、中芯毎に設けられていると好適である。
中芯毎に対応する蓋部を設けることで、乾き易いインクを備えた多芯筆記具の筆記状態において、筆記に使用されていない他の中芯のインクの乾きを確実に防止することができる。中芯毎に蓋部を設けることは、多芯筆記具をキャップレスにする上で非常に有意義である。
【発明の効果】
【００１０】
本発明によれば、外形の大きなインク貯留部を利用して、軸筒の胴回りを小さくすることができる。
【図面の簡単な説明】
【００１１】
【図１】本発明に係る多芯筆記具の一実施形態を示す斜視図である。
【図２】筆記状態の多芯筆記具を示す断面図である。
【図３】図５のIII−III線に沿う断面図である。
【図４】中芯の格納状態を示す斜視図である。
【図５】中芯の格納状態を示す断面図である。
【図６】蓋部が開いて、中芯が軸筒から突出する直前の状態を示す図である。
【図７】図５のVII−VII線に沿う断面図である。
【図８】中芯とノック部との連結構造を示す斜視図である。
【図９】本発明に係る多芯筆記具の他の実施形態を示す断面図である。
【図１０】本発明に係る多芯筆記具の更に他の実施形態を示す断面図である。
【発明を実施するための形態】
【００１２】
以下、図面を参照しつつ本発明に係る多芯筆記具の好適な実施形態について詳細に説明する。なお、ペン先側を「前方側」として以下説明する。
【００１３】
図１及び図２に示されるように、多芯筆記具１は、ノック式の多色の蛍光マーカーであり、複数本（例えば３本）の中芯２を有し、それぞれの中芯２は、異なる色のインクが充填されている以外は、同一の構造である。
【００１４】
多芯筆記具１は、略正三角柱形状の樹脂製の軸筒４を有し、軸筒４の後端には、軸線Ｌ方向に移動可能な３個のノック部６が装着されている。各ノック部６は、中芯出没機構Ｐを介して、３本の中芯２の選択的な出没を可能にしている。
【００１５】
図２及び図３に示されるように、中芯出没機構Ｐは、ノック部６を軸線Ｌ方向に案内するガイド部７と、軸筒４内に収容されると共に、ノック部６のノック本体部６ａからラジアル方向に突出する突片８と、ノック部６及び中芯２を後方に付勢するばね部９と、を備えている。
【００１６】
ガイド部７は、突片８の両側面から突出するスライド凸部７ａと、スライド凸部７ａが挿入されると共に、ノック部６の指掛け部６ｂを露出させるために軸筒４で軸線Ｌ方向に延在するスリット４ａを形成する壁面において、軸線Ｌ方向に延在してなるガイド溝７ｂと、からなる。ノック部６のスライド凸部７ａが軸筒４のガイド溝７ｂ内を摺動することにより、ノック部６を軸線Ｌ方向に確実に摺動させることができる。
【００１７】
突片８には、ラジアル方向における内端側で断面三角形状の係止解除部８ａが形成され、各係止解除部８ａは、互いに軸線Ｌに接近する。ノック部６を前進させ続けると、ノック部６のスライド凸部７ａがガイド溝７ｂの前端から外れ、これによって、ノック部６の後端が落ち込む（図２参照）。このとき、ノック部６の後端は、ガイド溝７ｂの前端に位置する係止壁４ｃに当接し、ノック部６は係止させられる。これによって、中芯２の先端が軸筒４の先端開口４ｄから突出した状態が維持される。
【００１８】
また、中芯２の先端を軸筒４内に格納する際、他のノック部６を前進させることで、他の係止解除部８ａが前進し、これによって、この係止解除部８ａが筆記状態にあるノック部６の係止解除部８ｂを押し上げる。このとき、ノック部６の後端は、持ち上げられて係止壁４ｃから外れ、ばね９の付勢力によって、ノック部６のスライド凸部７ａをガイド溝７ｂに沿って一気に後退させることができる。
【００１９】
ノック部６に連結された中芯２は、軸筒４の先端開口４ｄから先端側の露出が可能なチップ本体部１１と、チップ本体部１１の後端が固定されると共に、チップ本体部１１にマーカー用インクを供給するためのインク貯留部１２と、を有している。
【００２０】
チップ本体部１１は、チップ部１１ａと、チップ部１１ａを保護する樹脂製（例えば、ポリプロピレン、ポリエチレン）の被覆部１１ｂとからなり、チップ部１１ａの先端は、被覆部１１ｂから露出させられている。インク貯留部１２は、樹脂（例えば、ポリプロピレン）からなる円筒状の容体１２ａと、容体１２ａ内に詰められてインクを吸収させるための中綿１２ｂと、容体１２ａの後端開口に嵌め込まれる尾栓１２ｃと、からなる。
【００２１】
さらに、チップ部１１ａの後端から細長く延在するチップ延長部１１ｃの後端は、中綿１２ｂ内に差し込まれている。従って、中綿１２ｂに染み込ませたインクは、チップ延長部１１ｃを通ってチップ部１１ａに供給することができる。そして、チップ本体部１１とインク貯留部１２は、可撓性を有さずに、軸線Ｌに沿って軸筒４内で真っ直ぐに移動する。
【００２２】
図４及び図５に示されるように、軸筒４の前端側には、中芯２の進退によって開閉される蓋部２０が、中芯２毎に設けられている。中芯２毎に設けられたエアータイト機構Ａは、チップ部１１ａを包囲して、中芯２のチップ本体部１１の被覆部１１ｂに沿って摺動するエアータイトスリーブ２１を備え、このエアータイトスリーブ２１の前端には、ヒンジ部２０aを介して開閉自在な蓋部２０が設けられている。この蓋部２０には、三角形状の係止部２３が設けられ、この係止部２３は、軸筒４に形成された窓部２４内に挿入されながら開いていく。そして、係止部２３が窓部２４内で係止（規制）させられることで、エアータイトスリーブ２１の前進がストップさせられる（図６参照）。
【００２３】
中芯２と一緒に前進し続けているエアータイトスリーブ２１が軸筒４内で停止させられても、蓋部２０が開いた状態で中芯２が更に前進し続けると、チップ部１１ａを先端開口４ｄから突出させることができる。これによって筆記具１は筆記状態になる。そして、中芯２を後退させることで、エアータイトスリーブ２１の蓋部２０が締まり、エアータイトスリーブ２１内にチップ部１１ａが封入される。
【００２４】
中芯２毎に対応する蓋部２０を設けることで、乾き易いインクを備えた多芯筆記具１の筆記状態において、筆記に使用されていない他の中芯２のインクの乾きを確実に防止することができる。中芯２毎に蓋部２０を設けることは、多芯筆記具をキャップレスにする上で非常に有意義である。
【００２５】
図７に示されるように、各中芯２のインク貯留部１２における容体１２ａの外面は、軸筒４の内壁面４Ａに面接触する。更に、隣接するインク貯留部１２の容体１２ａの外面同士が、接触箇所Ｄで互いに線接触する。このような構成に基づいて、ノック時に、中芯２は、軸線Ｌ方向に確実にガイドされる。
【００２６】
中芯２の容体１２ａは、円筒形をなす。これに対して、軸筒４の壁部Ｒは、３本の中芯２を囲むように延在する包囲壁部Ｒ１と、隣接する中芯２の間で中芯２の外面に沿って包囲壁部Ｒ１から径方向に突出する延長壁部Ｒ２とからなり、これによって、中芯２の確実なガイドがなされる。延長壁部Ｒ２の先端は、接触箇所Ｄに達することがなく、これによって、容体１２ａの外面同士の互いの線接触を図りつつ、軸筒４の内壁面４Ａの面積の拡大化が図られる。
【００２７】
この多芯筆記具１においては、それぞれの中芯２のインク貯留部１２の外面が、軸筒４の内壁面４Ａに面接触し、且つ、隣接するインク貯留部１２同士が、互いに線接触することにより、外形の大きなインク貯留部１２の有効利用を図って、中芯２を確実に摺動させ、多芯筆記具１の各中芯２のガイド機能を達成させている。このような構成により、中芯２を軸線Ｌ方向に確実に移動させるためのガイド手段の簡素化を可能にし、部品点数の削減を図ることができる。しかも、このような構成により、軸筒４内で各中芯２を中心に寄せることができるので、軸筒４の外形を必要最小限の大きさにすることができ、軸筒４の胴回りを小さくするような小型化が可能になる。
【００２８】
さらに、図２に示されるように、軸筒４の前端側の内部には、エアータイトスリーブ２１を案内するガイド孔２６ａが設けられ、各ガイド孔２６ａは、軸筒４に固定されたガイド板２６に形成されている。ガイド孔２６ａの採用により、中芯２の移動を前側で支持するので、中芯２のガイドを更に確実なものにしている。
【００２９】
図８に示されるように、ノック部６の先端は、中芯２の後端で屈曲自在に連結されている。ノック部６の前端には、軸部２７ａを有する突出部２７が形成され、この突出部２７は、中芯２の後端に配置された尾栓１２ｃの凹部１２ｄ内に挿入される。そして、尾栓１２ｃには、軸部２７ａの挿入を可能にするスリット状の軸受部１２ｅが形成されている。軸部２７ａと軸受部１２ｅとで軸連結が達成され、中芯２を撓ませることなく、ノック部６と中芯２とを確実に連動させることができる。
【００３０】
本発明は、前述した実施形態に限定されないことは言うまでもない。
【００３１】
本発明に係る多芯筆記具は、３芯に限らず、複数芯であれば良く、例えば、図９に示されるように、外形が正四角柱形状の軸筒４Ａ内に４本の中芯２を９０度の位相角度をもって配列させ、隣接するインク貯留部１２の容体１２a同士が、接触箇所Ｄで互いに線接触している。
【００３２】
また、図１０に示されるように、隣接するインク貯留部３２の容体３２ａの外面同士が、互いに面接触してもよい。この場合、各中芯２Ａのインク貯留部３２の容体３２ａには、１２０度の開き角度をもったＶ字状の合わせ面Ｆが形成されている。これによって、中芯２Ａを軸筒４Ｂの中心に寄せることができ、軸筒４Ａの胴回りを小さくすることができる。
【００３３】
本発明は、前述した実施形態に限定されないことは言うまでもない。例えば、本発明に係る多芯筆記具は、乾燥し易いインクを有する油性マーカー、ボードマーカー、水性マーカー、水性ボールペン等に適用可能である。また、本発明は、カム機構を利用した回転式の筆記具への適用も可能である。
【符号の説明】
【００３４】
１…多芯筆記具、２，２Ａ…中芯、４，４Ａ，４Ｂ…軸筒、４ｄ…軸筒の先端開口、４Ａ…軸筒の内壁面、６…ノック部、１２，３２…インク貯留部、１２ｅ…軸受部、２０…蓋部、２７ａ…軸部、Ｌ…軸線、Ｐ…中芯出没機構、Ｄ…接触箇所、Ｆ…合わせ面。
【図１】
0005829442.tif 000002
【図２】
0005829442.tif 000003
【図３】
0005829442.tif 000004
【図４】
0005829442.tif 000005
【図５】
0005829442.tif 000006
【図６】
0005829442.tif 000007
【図７】
0005829442.tif 000008
【図８】
0005829442.tif 000009
【図９】
0005829442.tif 000010
【図１０】
0005829442.tif 000011